(57)【要約】【課題】コンピューター自体の文字列の入力の不便性を踏まえた上で、医療・介護などの用語が誤変換されたり正しく認識されないことを、ＩＣＦを選択する入力方式にすることで解決する。【解決手段】従事者に必要な文言をＩＣＦにより表示させ、思考の流れに沿ってそれを選択していくことが可能とした。その途中で適宜その文言を書き出したり、その文言に対する評価を選んで追記することも可能とし、結果として従事者の記録・計画等にあたっての文字入力の負荷を軽減する。【選択図】図１
2016099990.tif 000002
【特許請求の範囲】
【請求項１】
コンピューターにおける文字列入力の情報処理方法において、ＷＨＯによるＩＣＦ（Ｉｎｔｅｒｎａｔｉｏｎａｌ  Ｃｌａｓｓｉｆｉｃａｔｉｏｎ  ｏｆ  Ｆｕｎｃｔｉｏｎｉｎｇ，Ｄｉｓａｂｉｌｉｔｙ  ａｎｄ  Ｈｅａｌｔｈ）の構造体系に沿って、ユーザーが入力しようとする文字列のコードを探し出す手段と、前記探し出されたコードに基づいて、文字入力する文字入力手段とを備えることを特徴とする情報処理方法。
【発明の詳細な説明】
【技術分野】
【０００１】  本発明は、ＷＨＯが２００１年に発表した”ＩＣＦ”（Ｉｎｔｅｒｎａｔｉｏｎａｌ  Ｃｌａｓｓｉｆｉｃａｔｉｏｎ  ｏｆ  Ｆｕｎｃｔｉｏｎｉｎｇ，Ｄｉｓａｂｉｌｉｔｙ  ａｎｄ  Ｈｅａｌｔｈ）を用いた文字入力補助ソフトウェアに関する。
【背景技術】
【０００２】  昨今コンピューターのみならず、スマートフォンやタブレット等のポータブルデバイスも広く各国のユーザーが利用するところとなったが、特に後者において文字入力がスムーズでないことは周知のところである。
これに対して、たとえばＡｎｄｒｏｉｄやｉＯＳ等のオペレーションシステムでは音声文字入力の機能が実装されたり、好みのＩＭＥ（Ｉｎｐｕｔ  Ｍｅｔｈｏｄ  Ｅｄｉｔｏｒ、「日本語入力」とも言う）に入れ替えて使用されたりすることができるようになっている。ただし、ｉＯＳに関してはバージョンが８以上でなければ、音声文字入力機能を利用したりＩＭＥを好みのものに入れ替えたりすることはできない。【０００３】  文字を入力すること自体に不便があるのは、多くの医療従事者・介護担当者・リハビリ実施者・発達障害や知的障害、身体障害をもつ方々の教育に携わる教育者など（以下、総称して「従事者」とする）のみならず、一般ユーザーにとっても不便であるのは云うまでもない。【０００４】  加えて、医療・介護などにおける用語は一般の辞書に搭載されていないことが多い。それが原因で誤変換されたり正しく認識されなかったりすることが多い。
これらのことが相まって、既存の記録の入力手段は多くの従事者にとって非常に不便であった。【０００５】  なお、既存の技術には、ＩＭＥおよび日本語入力に関する技術が存在する（特許文献１−３）。
加えて、ケアプランを作成するために、文例の一部にＩＣＦを採用している介護サービス計画書の作成支援装置ならびにプログラムが存在する（特許文献４）。
又、ＩＣＦの項目自体をソフトウェアに組み込む方式を採用しているソフトウェアが存在する（非特許文献１）。
【先行技術文献】
【特許文献】
【０００６】
【特許文献１】特許第４９４０２６１号公報
【特許文献２】特開２０１０−７３１７７号公報
【特許文献３】特開２００７−１２２７１９号公報
【特許文献４】特開２００７−１１５１７０号公報
【非特許文献】
【０００７】
【非特許文献１】株式会社ワイズマン、“介護老人保健施設・老健施設向け  介護老人保健施設管理システムＳＰ、Ｒ４システム（オプション）”、［ｏｎｌｉｎｅ］、［平成２６年１１月１８日検索］、インターネット＜ＵＲＬ：ｈｔｔｐ：／／ｗｗｗ．ｗｉｓｅｍａｎ．ｃｏ．ｊｐ／ｗｅｌｆａｒｅ／ｐｒｏｄｕｃｔｓ／ｈｅａｌｔｈ＿ｆａｃｉｌｉｔｉｅｓ．ｈｔｍｌ＞
【発明の概要】
【発明が解決しようとする課題】
【０００８】  しかしながら、特許文献１−４、非特許文献１に記載の技術には、未だに文字入力が円滑にならない可能性がある。
本発明の解決しようとする問題点は、従事者が必要な用語・文言等をコンピューターに入力する際の労力や不便さである。
【課題を解決するための手段】
【０００９】  本発明は、コンピューターにおける文字列入力の情報処理方法において、ＷＨＯによるＩＣＦ（Ｉｎｔｅｒｎａｔｉｏｎａｌ  Ｃｌａｓｓｉｆｉｃａｔｉｏｎ  ｏｆ  Ｆｕｎｃｔｉｏｎｉｎｇ，Ｄｉｓａｂｉｌｉｔｙ  ａｎｄ  Ｈｅａｌｔｈ）の構造体系に沿って、ユーザーが入力しようとする文字列のコードを探し出す手段と、前記探し出されたコードに基づいて、文字入力する文字入力手段とを備えることを特徴とする。これによって、従事者に必要な文字をＩＣＦにより表示させ、思考の流れに沿ってそれを選択していくことが可能となる。又、本発明は、コードの検索の途中で適宜当該コードの文字を書き出したり、当該コードの文字に対する評価を選んで、追記したりする補助手段を更に備えても良い。その結果、従事者の記録・計画等にあたっての文字入力の負荷を軽減することが可能となる。
【発明の効果】
【００１０】  本発明の情報処理方法はＩＣＦのコード体型に基いて適宜その階層の文字を表示するため、思考に沿った文字選択・入力が可能となる。加えて同じ分類に属するものであれば、連続して同じ分類の文字の入力が可能となる。それゆえ例えば痛みに関する部位・程度などの項目を一挙に入力していくことも可能になるという利点がある。
【図面の簡単な説明】
【００１１】
【図１】本発明の実施形態におけるＩＣＦのコード体系の一例を示したものである。
【図２】本発明の実施形態におけるＩＣＦによる運用を示した説明図である（実施例１）。
【図３】本発明の実施形態におけるＩＣＦによる運用を示した説明図である（実施例２）。
【図４】本発明の実施形態における処理の流れを示す全体フローチャート図である。
【図５】本発明の実施形態における処理の流れを示す機能ブロック図である。
【図６】本発明の実施形態における処理の流れを示す第１分類についての処理の部分フローチャート図である。
【図７】本発明の実施形態における処理の流れを示す第２・詳細分類についての処理の部分フローチャート図である。
【図８】本発明の実施形態における処理の流れを示す「書き出し」の処理の部分フローチャート図である。
【図９】本発明の実施形態における処理の流れを示す「評価」の処理の部分フローチャート図である。
【図１０】本発明の実施形態における処理の流れを示す「Ｎｅｘｔ→」の処理の部分フローチャート図である。
【図１１】本発明の実施形態における処理の流れを示す「↑Ｔｏｐ」の処理の部分フローチャート図である。
【図１２】本発明の実施形態における処理の流れを示す「＜Ｂａｃｋ」の処理の部分フローチャート図である。
【図１３】本発明の実施形態における処理の流れを示す「↓Ｃｏｐｙ  ｔｏ  Ｃｌｉｐｂｏａｒｄ」の処理の部分フローチャート図である。
【図１４】本発明の実施形態における処理の流れを示す全体機能図である。
【発明を実施するための形態】
【００１２】  本発明は、コンピューターにおける文字列入力の情報処理方法において、ＷＨＯによるＩＣＦ（Ｉｎｔｅｒｎａｔｉｏｎａｌ  Ｃｌａｓｓｉｆｉｃａｔｉｏｎ  ｏｆ  Ｆｕｎｃｔｔｉｏｎｉｎｇ，Ｄｉｓａｂｉｌｉｔｙ  ａｎｄ  Ｈｅａｌｔｈ）の構造体系に沿って、ユーザーが入力しようとする文字列のコードを探し出す手段と、前記探し出されたコードに基づいて、文字入力する文字入力手段とを備えることを特徴とする。
即ち、本発明者は、ＷＨＯが２００１年に発表した「ＩＣＦ」を（日本語翻訳権をＷＨＯから受けている）厚生労働省が翻訳した「国際生活機能分類」の文字列のコード（用語）を選択していく方法を考案した。
具体的には、国際生活機能分類のコードを予め用意し、画面に表示させ、ユーザーによるコードの選択に応じて、ツリー方式で展開させ、ユーザーにより最終的に選択されたコードを、適宜テキスト編集エリアに記載し、必要に応じてデバイス内の各アプリケーションの共有のテキストコピーエリアに保持させる。
【００１３】  図１には、本発明の実施形態におけるＩＣＦのコード体系の一例を示している。ＩＣＦコードは、図１のように基本的に３階層のツリー構造を為している。具体的には「第１分類」と呼ばれる「アルファベット１文字に数字１文字を加えたもの（例：ｂ３）」の階層、「第２分類」と呼ばれる「第１分類に数字２文字を加えたもの（例：ｂ３１０）」の階層、「詳細分類」と呼ばれる「第２分類に数字１文字ないし２文字を加えたもの（例：ｂ３１００，ｂ２８０１０）」が存在している。
よって、第１分類を決定することで下位の第２分類の選択肢を全体の中から適切に限定でき、第２分類を決定することで下位の詳細分類の選択肢を限定して表示することができる。
【００１４】  又、画面上に設けた選択手段（例えば、ダイアル）によりコードを選択し、「第１分類」→「第２分類」→「詳細分類」の流れに沿って選択を行うことによりしかるべき記録・記載が可能となる。そのため、従事者の文字列入力に対する負担が軽減される。具体例として、患者状態の記録、リハビリ計画書の作成とその評価、特別支援教育の場における計画および介入計画作成ならびに評価の作成時の文字列入力支援が可能となる。
このように、本発明は、ＩＣＦのコードをリストから選択すると次の階層のＩＣＦのコードがツリー方式で展開される方式を実装している。それ故ツリー末端（詳細分類）は約１５００個存在するものの、必要なコードにたどり着くことを、ユーザーの思考に沿った方式で実現している。
以下に、添付図面を参照して、本発明の実施例について説明し、本発明の理解に供する。尚、以下の実施例は、本発明を具体化した一例であって、本発明の技術的範囲を限定する性格のものではない。
【実施例１】
【００１５】  図２は、現在実装されているＩＣＦを用いた文字列入力ツールの一例である。具体的な運用の一例として、文字列を入力するためにＩＣＦ階層が上位のものから選択を開始する形式でコードの絞り込みを行う。階層にはおもに「第１レベルまでの分類（以下、第１分類と表記）」「第２レベルまでの分類（以下、第２分類と表記）」「詳細分類」がある。
つまり、「第１分類」→「第２分類」→「詳細分類」の流れに沿って選択を行うことで、しがるべき記録・記載が可能となる。ただし、図２は本発明の全体像ではなく一例であることを特記しておく。
【実施例２】
【００１６】  図３は、現在実装されているＩＣＦを用いた文字列入力ツールの一例である。具体的な運用の一例として、同じ分類に属するものであれば連続して入力が可能である。それゆえ例えば痛みに関する部位・程度などの項目を連続して入力していくことが可能になる。ただし、図３は本発明の全体像ではなく一例であることを特記しておく。【００１７】  図４は、本発明の実施形態における処理の流れを示すフローチャート図である。実施例１、実施例２において、図４に示すフローチャートに従って処理が進む。【００１８】  図５は、現在実装されているＩＣＦを用いた文字列入力ツールの一例の機能ブロック図である。（３３）インターフェースは実際には「第１分類（２８）」「第２分類（２９）」「詳細分類（３０）」の３画面を遷移する形式で構築されている。【００１９】  （２８）第１分類画面が表示される際、予め表示文字列（ＩＣＦコード）をソフトウェア内にＳＱＬｉｔｅで格納したデータベース（３４）から読み出す（（３８）クエリ発生。）。以下クエリはこのＳＱＬｉｔｅのＩＣＦデータベースに対して行われているものとする。起動時の初期値はｂ１を選択した状態としている。また、第１分類には「心身機能」、「活動と社会」、「身体構造」、「環境因子」の４分類があり、今回実装では「心身機能」、「活動と社会」を利用したため、（２）（３９）セレクタ選択で分類を切り替えることができる。また、その際は表示文字列を変更する必要があるため（４０）クエリ発生させる。【００２０】  （４１）ダイアルタッチの検知により、第１分類までのＩＣＦコードが決定される。具体的には検知した行のデータをＩＣＦ文言やＩＣＦコードに反映し、代入（４２）する。【００２１】  第２（２９）・詳細分類（３０）の画面は、分類を切り替える必要がないため、セレクタは不要である。画面を表示する際に、前の画面で選択したＩＣＦコードに基づいたクエリを発生させ（４３）膨大なＩＣＦコードの中から表示される内容を絞り込む。（４４）ダイアルタッチの検知により、ＩＣＦコードが決定される。具体的には検知した行のデータをＩＣＦ文言やＩＣＦコードに反映し、代入（４５）する。【００２２】  第１（２８）・第２（２９）・詳細分類（３０）の画面共通で、（３）（６）（９）（４６）書き出しを押下すると、文字列をアペンドする処理が行われ、テキスト編集エリア（１４）（１８）（２２）（２６）（３１）（３５）の文章尾に現在のＩＣＦ文言が付加される（４７）。また、このテキスト編集エリアはユーザーによる編集が可能であり、（３５）の内容は画面遷移があっても引き継がれる。【００２３】  詳細分類（３０）の画面には、「評価」（１０）（２４）が存在する。これはＩＣＦ文言について評価するものであり、ＩＣＦの中で規定されているため、それに則った選択肢をセレクタにより表示させている。セレクタを動かす（４８）と評価の文字列が決定され、書き出しボタンを押下（４９）時の文言に、その内容がＩＣＦ文言に評価の文字列をアペンドしたものとして反映される。なお、一番左のブランクのセレクタを選択していると、評価を付加せずに書き出しが可能である。【００２４】  第１（２８）・第２（２９）分類には、次の画面に遷移するための（４）（７）「Ｎｅｘｔ→」ボタンを有している。押下する（５０）と、ＩＣＦコードを保持したまま次の階層に処理が引き継がれる。なお、この際ＩＣＦコードが保持されることにより、次の画面表示時にＩＣＦコードを絞り込んで表示することが可能となっている。なお、図５中（３３）インターフェース横の再帰矢印は、画面同士の遷移（次画面・戻る）のことを指している。【００２５】  第２（２９）・詳細（３０）分類には、「↑Ｔｏｐ」ボタンを有している。押下（５２）すると、テキスト編集エリア（３５）の文字列は保持されたままＩＣＦコードは初期化（ｂ１）され、第１（２８）分類の画面に戻る。【００２５】  第２（２９）・詳細（３０）分類には、「＜Ｂａｃｋ」ボタンを有している。押下（５４）すると、テキスト編集エリア（３５）の文字列を保持したままＩＣＦコードは１段階前のものに戻った状態で画面遷移（５５）する。具体的には、第１・第２分類で選択したＩＣＦコードはそれぞれ別に保管されるため、詳細分類から戻る際は第２分類で選択していたＩＣＦコードを、第２分類から戻る際は第１分類で選択していたＩＣＦコードを用いて再度クエリを行って画面に表示させることでその処理を実現している。【００２６】  第１（２８）・第２（２９）・詳細分類（３０）の画面共通で「↓Ｃｏｐｙ  ｔｏ  Ｃｌｉｐｂｏａｒｄ」を押下（５６）することで、テキスト編集エリア（３５）の文字列をクリップボードに代入（５７）する。クリップボードは他のアプリケーションと共通であるため、他のソフトウェアでもその文字列を入力することができる。【００２７】  図１４には、画面遷移、データ受け渡し等のロジックを記載した機能図を示す。その他、Ｗｅｂウィンドウを用いた検索機能も有するが、説明は省略する。
【産業上の利用可能性】
【００２８】  以上のように、本発明に係る情報処理方法は、患者状態の記録、リハビリ計画書の作成とその評価、特別支援教育の場における計画および介入計画作成ならびに評価の作成に有用であり、従事者が必要な用語・文言等をコンピューターに入力する際の労力や不便を解消することが可能となる。
【符号の説明】
【００２９】（１）第１分類  「心身機能」「身体構造」「活動と参加」「環境因子」各カテゴリの下位構造の選択肢
（２）第１分類のジャンルを切り替えるセレクタ
（３）選択した文言をテキスト編集エリアに書き出すためのボタン
（４）第２分類へ
（５）第２分類の項目を表示
（６）選択した文言をテキスト編集エリアに書き出すためのボタン
（７）詳細分類へ
（８）詳細分類・評価の項目を表示
（９）選択した文言をテキスト編集エリアに書き出すためのボタン
（１０）評価をつけるためのボタン
（１１）（１５）（１９）（２３）詳細分類における文言選択エリア
（１２）（１６）（２０）（２４）評価選択
（１３）（１７）（２１）（２５）書き出しボタン
（１４）（１８）（２２）（２６）テキスト編集エリア
（２７）ＩＣＦのデータ
（２８）第１分類の画面（選択・書き出しを行う）
（２９）第２分類の画面（選択・書き出しを行う）
（３０）詳細分類の画面（選択・書き出しを行う）
（３１）テキスト編集エリア
（３２）コンピューター全体共通のクリップボード
なお（３３）〜（５５）については、図中に記載されている通りである（たとえば（３３）はインターフェースを指す）。
【図１】
2016099990.tif 000003
【図２】
2016099990.tif 000004
【図３】
2016099990.tif 000005
【図４】
2016099990.tif 000006
【図５】
2016099990.tif 000007
【図６】
2016099990.tif 000008
【図７】
2016099990.tif 000009
【図８】
2016099990.tif 000010
【図９】
2016099990.tif 000011
【図１０】
2016099990.tif 000012
【図１１】
2016099990.tif 000013
【図１２】
2016099990.tif 000014
【図１３】
2016099990.tif 000015
【図１４】
2016099990.tif 000016